【事件の表示】
　特願２０００−５６４３７７「統合されたチャネル・ガイドを有するビデオ・データ・レコーダ」拒絶査定不服審判事件〔平成１２年　２月１７日国際公開、ＷＯ００／０８８５２、平成１４年　７月２３日国内公表、特表２００２−５２２９７７〕について、次のとおり審決する。
【結　論】
　本件審判の請求は、成り立たない。
【理　由】
第１　経緯
１．手続
　本願は、平成１１年８月６日（パリ条約による優先権主張１９９８年８月７日、米国）を国際出願日とする出願である。
　本件は、本願についてされた拒絶査定（平成１７年１０月１３日付け）を不服とする平成１８年１月１６日の審判の請求であり、請求と同時に明細書についてする補正書が提出された。
　
２．査定
　原査定の理由は概略、下記のとおりである。
　　　記（原査定の理由）
　請求項１〜７に係る発明は、下記刊行物に記載された各発明に基づいて当業者が容易に発明をすることができたものであるから、特許法第２９条第２項の規定により、特許を受けることができない。
　　　記
　刊行物１．特開平１０−１６４５２８号公報
　刊行物２．特開平７−１６０７３２号公報
　刊行物３．特開平９−１６８１３４号公報
　刊行物４．特開平１０−１３７５６号公報
　刊行物５．特開平１０−２００８６５号公報
　刊行物６．特開平８−３２９５５８号公報　（拒絶査定時に引用）
　刊行物７．特開平９−７００２０号公報　　（拒絶査定時に引用）
　
　
第２　本願発明
　平成１８年１月１６日付け手続補正書による補正は、特許請求の範囲について請求項２乃至７の削除を目的とする補正である。
　本願の請求項１に係る発明（以下、「本願発明」という。）は、平成１８年１月１６日付け手続補正書により補正された明細書の特許請求の範囲の請求項１に記載されるものであると認められるところ、その内容は下記のとおりである。
　　　記（本願発明）
「【請求項１】
　後の再生のためにビデオ信号を記録できるようにするための方法であって、
　（ａ）ビデオ入力ソースからのショーを記録するための基準をユーザが指定できるようにするステップと、
　（ｂ）前記ユーザ指定の基準に基づいて、プロセッサが、記録のためにチャネル・ガイド・データベースから記録すべきショーを選択するステップであって、該記録すべきショーを記録するために十分な記録領域がない場合には当該選択された記録すべきショーより低い優先順位を持つ記録済みのショーを消去するステップと、
　（ｃ）選択された前記ショーを記録するステップとを含む方法。」
　
　
第３　査定の検討
１．引用例等
（１−１）特開平８−３２９５５８号公報（以下、「刊行物Ａ」という。）
　原査定の理由に引用された刊行物Ａには、「記録条件判定機能付記録再生装置」（発明の名称）に関して、図面と共に以下の記載がある。
（Ａア）
「【０００１】
【産業上の利用分野】本発明は特定種類の番組を選択してその映像を記録再生する記録再生装置に係り、特に使用者の好みに応じたニュース等の最新情報を見るのに好適なチャンネル選択方法および記録再生方法に関する。」
（Ａイ）
「【０００７】
　本発明の第３の目的は、使用者が自分が必要とする情報の種類や優先度を予め入力しておくと、それに従って番組を録画するか否か、新しい番組を録画するためにいずれの古い番組を消去するかを判定して、使用者の必要とする番組を自動的に記録する記録再生装置を提供することにある。」
（Ａウ）
「【００１４】
　第３の発明においては、優先順位設定手段はニュースの中の小分類（政治、経済、スポーツ等）による優先順位を設定する。経過時間係数設定手段は記録済みの古いニュースの優先順位を下げるように作用する。係数記録再生手段は記録する番組に対応する優先順位や経過時間係数を記録再生手段のディレクトリ領域に記録し、再生する。第一の優先度判定手段は放送中の番組の中の最優先番組を判定し、第二の優先度判定手段は記録済みの番組と放送中の番組との優先順位を判定する。そして、記録済み番組の中の優先度が低い順に消去しながら新しい番組を記録する。これにより、使用者は例えば、経済ニュースを優先させるとか、時間が経過したスポーツニュースは優先度を低くする、などより細かい指定により、好みのかつ最新のニュースをいつでも見ることができる。」
（Ａエ）
「【００６７】
　次に、第３の発明について説明する。図１１は、第３の発明の第１の実施例を示す記録条件判定機能付記録再生装置のブロック図である。この記録条件判定機能付記録再生装置は、ＶＴＲに代えてコンピュータの記憶装置として一般的に用いられているハード・ディスク装置を用いた点に特徴を有し、さらに受信する放送としてディジタル放送を例にした実施例である。この発明の記録条件判定機能付記録再生装置は、信号入力端子４１と、チューナ４２と、復号化回路４３と、ＯＳＤ回路４４と、ハード・ディスク装置４５と、ディスク制御回路４６と、バッファメモリ４７と、情報コード分離回路４８と、システムコントロール回路４９と、操作部５０と、番組表メモリ５１と、予約メモリ５２と、分類コードメモリ５３と、映像出力端子５４と、切替スイッチ５５と、日付・時刻発生回路５６とを有している。システムコントロール回路４９は、録画予約処理手段４９１と、記録内容管理手段４９２と、記録条件判定手段４９３と、記録・再生・表示制御手段４９４と、番組コード検出手段４９５とを有している。」
（Ａオ）
「【００６８】
　……（略）……番組情報としては予約録画に必要な番組開始日時や番組終了日時、チャンネル、番組名などのコードの他、ニュース，映画，教育などを表す番組の大分類コード、政治ニュース，経済ニュース，スポーツ・ニュース，ローカル・ニュースなどを表す小分類コード、人名，事件名，地名などのキーワードも含まれるものとする。」
（Ａカ）
「【００７４】
　以上が概略の動作であるが、次に図１１の装置のシステムコントロール回路４９の動作の詳細について説明する。録画予約時、システムコントロール回路４９の番組予約処理手段４９１は、分類コードメモリ５３のデータを読み出してそのデータを文字コードに変換して記録・再生・表示制御手段４９４を介してＯＳＤ回路４４に送る。使用者は、ＯＳＤ回路４４により表示された分類画面を見ながら各々の分類に対する優先順位係数ＫＹと経過時間係数ＫＴを操作部５０から入力する。」
（Ａキ）
「【００７５】
　図１２に係数入力後の表示画面の一例を示す。大分類がニュースであるとき、ニュースの番組の内容を示す小分類は、政治，経済，スポーツローカル，宗教，臨時に小分類される。それぞれの小分類に対応する優先順位係数ＫＹは、０.５，１.０，０.７，０.３，０，２.０に設定され、経過時間係数ＫＴは、それぞれ０.２，０.８，０.５，０.１，０，１.０に設定される。ここで、表示画面としては図１２は単なる一例であり、グラフィックスを用いて使用者に、より直感的にわかるように工夫することなども実行できる。システムコントロール回路４９の予約録画処理手段４９１は、図１２の内容をコード化して予約メモリ５２に書き込む。また、予約メモリ５２に係数の一部もしくは全部の推奨値をあらかじめ入れておき、使用者は変更したい部分のみを変更できるようにすることもできる。」
（Ａク）
「【００７６】
　次に、ニュース番組を例にして記録処理について説明する。図１３は、ディスク装置４５に映像信号を記録する時のシステムコントロール回路４９の処理フローチャートである。操作部５０から「記録待ち（録画予約待ち）」が指示されるとステップＳ８０１の割込み処理により、ステップＳ８０２に進む。ステップＳ８０２において、システムコントロール回路４９の録画予約処理手段４９１は、番組表メモリ５１から番組情報を読み出し、上記大分類コードによりニュース番組を検索する。ニュース番組がなければステップＳ８１０に進み、新しい番組表が送られてきて番組表メモリ５１が更新されるのを待つ。」
（Ａケ）
「【００７７】
　ステップＳ８０２でニュース番組があるとされた場合、ステップＳ８０３において、ニュース番組のうち開始日時が最も早い番組を選び、録画第１候補番組とする。ステップＳ８０４において、録画第１候補番組の開始日時から終了日時までの間に他のニュース番組があるかどうかを調べる。時間が重複するニュース番組がある場合、それを録画第２候補番組とし、複数ある場合にはさらに第３候補、第四候補、……とする。次にステップＳ８０５において、複数の候補の優先順位を決定し、録画候補番組を一つに絞り込む。これは予約メモリ５２から前述した優先順位係数ＫＹを読み出し、録画候補番組の小分類コードに応じた優先順位係数ＫＹの値を比較することにより行われる。図１２に示した例では、政治ニュース，経済ニュース，スポーツ・ニュース，ローカル・ニュースが録画候補番組になった場合、優先順位係数の最も大きい経済ニュースを録画候補番組として選択する。」
（Ａコ）
「【００７８】
　次いで、ステップＳ８０６において、記録内容管理手段４９２は、録画候補番組の開始日時ＴＳ（ｒ）および終了日時ＴＥ（ｒ）から録画候補番組の継続時間をＴＬ（ｒ）算出し（ＴＬ（ｒ）＝ＴＥ（ｒ）−ＴＳ（ｒ））、さらにディスク制御回路４６から送られてくるディスクのディレクトリ情報に基づいて、録画候補番組を記録するに十分な記録領域ＤＺが確保されているかどうかを判定する。この時、再生フラグ（後で説明する）が１の番組（一度見た番組）のディスク装置４５上の領域は未記録領域と同等に扱われ、これらの領域を記録時間に換算してＤＺとおく。」
（Ａサ）
「【００７９】
　記録領域ＤＺが録画候補番組を記録するのに十分な大きさの場合、ステップＳ８１５に進み、チャンネルを選択した後、ステップＳ８１６で録画開始時刻の到来を待つ。記録領域ＤＺが録画候補番組を記録するのに不十分な大きさの場合、ステップＳ８０７において、ディレクトリ情報の中のすべての番組の優先順位の比較を行い、優先順位の低い順に番号（ｑ）の値を割り当てる。具体的には、次式で計算した優先度Ｙの値が小さいほど優先順位が低いものとする。」
（Ａシ）
「【００８４】
　次に、ステップＳ８０８においてｑ＝１とおく。次いで、ステップＳ８０９において、ｑ番目の番組の優先度Ｙ（ｑ）と録画候補番組の優先度Ｙ（ｒ）とを比較する。ここで、Ｙ（ｒ）は録画候補番組の優先順位係数ＫＹの値そのものとする。……（略）……」
（Ａス）
「【００８５】
　Ｙ（ｒ）がＹ（ｑ）よりも大きい場合、ステップＳ８１１に進み、この時のｑの値におけるｑ番目の番組を第１の消去候補番組とする。そしてステップＳ８１２において記録可能時間ＤＺに消去候補番組の継続時間ＴＬ（ｑ）を加える。ここでＴＬ（ｑ）は消去候補番組の終了日時と開始日時との差を演算することにより求めることができる。」
（Ａセ）
「【００８６】
　ステップＳ８１３においては、新しい記録可能時間ＤＺと録画候補番組の継続時間ＴＬ（ｒ）との大小関係を較べることにより、消去候補番組を消去した場合に十分な記録領域があるかどうかを判定する。消去候補番組を消去しても録画候補番組の記録に十分な記録可能時間ＤＺを得られない場合、ステップＳ８１４においてｑに１を加えてステップＳ８０９に戻ることにより、二番目に優先度の小さい番組に対して同様の判定を繰り返す。この繰返し中にステップＳ８１３において記録領域が十分の判定が得られるとステップＳ８１５でチャンネルを設定し、ステップＳ８１６に進む。」
（Ａソ）
「【００８７】
　ステップＳ８１６においては、日付・時刻発生回路５６からの現在時刻のデータが録画候補番組の開始日時ＴＳ（ｒ）と一致するのを待ち、一致したらステップＳ８１７に進み、録画を開始する。録画する領域は未記録部、再生フラグが１の番組部分、第１の消去候補番組部分、第２の消去候補番組部分、……の順となるように、システムコントロール回路４９の記録・再生・表示制御手段４９４からディスク制御回路４６に制御信号を送る。……（略）……」
（Ａタ）
「【００９４】
　以上述べた第３の発明によれば、記録時にはステップＳ８０５において放送されるニュースの中の優先順位が決定され、ステップＳ８０７においてディスク内のニュースの優先順位が決定され、それらの結果に応じて優先順位の低い順にディスク内のニュースを消去しながら、放送されるニュースの中で優先度の最も高いニュースを記録することになるので、ディスク装置４５内のディスクには常に優先度の高いニュースが記録されていることになる。……（略）……」
　
（１−２）周知技術
　ハードディスク装置の技術分野において、新たな情報を記録する為の容量が不足している場合に、この新たな情報を記録する容量を確保すべく、既に記録されている情報を消去した後、記録を開始する構成、即ち、記録済みの情報を消去するステップと、新たな情報を記録するステップとを独立して有する構成は、本願出願前において周知の技術である。
　このことは、拒絶査定時に提示された文献である特開平９−７００２０号公報（以下、「刊行物Ｂ」という。）、当審で引用する特開平５−１５３３４７号公報（以下、「刊行物Ｃ」という。）に見られるところ、その詳細は以下のとおりである。
　
刊行物Ｂの記載
「【００３１】
　制御部６４にはさらにメモリ手段７０が設けられ、ここに蓄積情報のうちどの情報を残し、どの情報を優先的に消去するかを示す総合優先度のデータが格納されている。このデータ、特に個別番組情報の優先度を示すデータはコマンダ６８によってユーザ自らが設定できる。総合優先度を設定したのは、蓄積手段６２の容量が有限なこと、その値を余り大きくは設定できないこと、などを考慮したためで、蓄積手段の容量を大きくすることなくユーザの好みの情報を蓄積・保存できるようにするためである。そのため、蓄積容量が一杯になったときには蓄積された受信情報は優先度の最も低い蓄積情報から順次その情報が自動消去される。」
「【００３５】
　蓄積手段６２の容量が一杯になると、上述した総合優先度Ｐに基づいて消去すべき蓄積情報が制御部６４において判断される。例えば図４のように蓄積手段６２には既に録画順位の１から３までが蓄積されていて、それぞれのジャンル別優先度ｘ、個別番組優先度ｙが設定されているものとする。蓄積してからの経過時間ｔもそれぞれ異なった値となっている。」
「【００３９】
　このような歌番組がまさに放送されようとするとき、蓄積容量がフルであることから、その時点での総合優先度Ｐが蓄積情報の全てに対して算出され、そのうち最も優先度の低い蓄積情報が判別される。優先度の最も低い蓄積情報が定まると、その蓄積情報（図４では時代劇）が消去されると同時に歌番組の蓄積が開始される。」
「【００４２】
　蓄積手段６２としては半導体メモリ、ハードディスク、光磁気ディスクなどの比較的容量の大きな蓄積装置であって、アクセスが速く、記録・消去をリアルタイムで実行できるものが使用される。例えば、９Ｇバイトの容量をもつハードディスクを用い、画像圧縮処理としてＭＰＥＧ１（１．５Ｍｂｐｓ）を使用すれば、１３時間程度の放送番組情報を蓄積・保存できる。」
　
《刊行物Ｂ記載の技術》
　段落【００３９】に記載の「消去されると同時に歌番組の蓄積が開始され」る構成においては、消去の終了と同時に記録が開始されると解される。
　従って、予定される記録工程とは独立に、その前に消去工程が存在していると認められる。
　
刊行物Ｃの記載
「【０００４】
【課題を解決するための手段】本発明によるシステムでは、新たに受信した符号化画像データが２次記憶装置内に保存できない程度に２次記憶装置が充満した場合、２次記憶装置内にある画像データの一部又は全部を消去するか又は別の記憶装置へ移すことにより、新たに受信した画像データを保存する領域を確保する。……（略）……」
「【０００６】
【実施例】本発明によるシステムの構成を示した図１により、まず各ブロックの構成と動作を説明する。……（略）……ハードディスク３は、符号化データの蓄積及び電話番号の登録等に使われる磁気ディスクメモリである。光ディスク装置４は、ハードディスク３が充満した時の退避用に使われるメモリである。」
「【００１７】
　新たに受信した画像データの保存領域を確保する方法は次のとおりである。
　（１）受信時刻の最も古い画像データを消去し、それでもなお新しいデータの保存領域が不足の場合には、以下順に古いデータから順に消去する。
　（２）上記の消去を行うが、消去禁止マークの付いたデータは消去の対象から除外する。
　（３）ハードディスクの他に、アクセススピードは遅いが大容量の記憶装置である光ディスク装置を設け、受信時刻の最も古い画像データを順に光ディスクに移す。
　（４）光ディスク装置を設け、ハードディスクが充満した場合に、すべてのデータを光ディスクに移す。」
（当審注：公報における「○」内に数字を配置する表記を、ここでは「（　）」内に数字を配置する表記に置換している。）
　
《刊行物Ｃ記載の技術》
　段落【００１７】に記載の、古い画像データを消去することにより、新たに受信した画像データの保存領域を確保する構成においては、予定される記録工程とは独立に、その前に消去工程が存在していることは明らかである。
　
２．対比
　本願発明と刊行物Ａに記載された発明（以下、「刊行物Ａ発明」という。）とを対比する。
　
（１）「後の再生のためにビデオ信号を記録できるようにするための方法」
　刊行物Ａ発明は、「ハード・ディスク装置」を備えた「記録条件判定機能付記録再生装置」（記載Ａエ）を用いて「使用者の必要とする番組を自動的に記録する記録再生方法」である。（記載Ａア〜Ａウ）
　当該「記録再生方法」により、使用者は「好みのかつ最新のニュースをいつでも見ることができ」る。（記載Ａウ）
　かかる「記録再生方法」は、本願発明にいう「後の再生のためにビデオ信号を記録できるようにするための方法」に相当する。
　
（２）「（ａ）ビデオ入力ソースからのショーを記録するための基準をユーザが指定できるようにするステップ」
（２−１）「ビデオ入力ソースからのショーを記録するための基準」
（２−１−１）「ショーを記録するための基準」
　本願明細書中には、以下の記載がある。
「【００２７】
　基準データベース
　既に議論されたように、基準データベース１０４は、録画するためのショー選択用ユーザ指定基準を格納する。ユーザは、ショーのタイトル、……（略）……、ショーの部類（アクションもの、ミステリー、子供向けなど）などのキーワード、……（略）……を含めてショー録画用の基準を指定することができる。」
「【００４３】
　ユーザは、パーソナル・チャネルを設定することができる。パーソナル・チャネルは、録画されたショーの論理構成である。このようなパーソナル・チャネルとしては、……（略）……ニュース番組を録画するように設定するものであったりする。」 
　段落００２７の記載によれば、本願発明にいう「ショーを記録するための基準」には、「ショーの部類」に基づき決定される「基準」が含まれる。
　また、段落００４３の記載によれば、本願発明にいう「ショー」には、「ニュース番組」が含まれる。
　従って、本願発明にいう「ショーを記録するための基準」には、「ニュース番組」の「部類」に基づき決定される「基準」が含まれると認められる。
（２−１−２）
　刊行物Ａ発明においては、「時間が重複するニュース番組がある場合」「複数の候補の優先順位を決定し、録画候補番組を一つに絞り込む。これは予約メモリ５２から前述した優先順位係数ＫＹを読み出し、録画候補番組の小分類コードに応じた優先順位係数ＫＹの値を比較することにより行われ」る。（記載Ａケ）
　ここで、「優先順位係数ＫＹの値を比較すること」により「録画候補番組を一つに絞り込む」のであるから、「優先順位係数ＫＹの値」は「記録するための基準」といい得る。
　次に、「小分類コード」は、「政治ニュース，経済ニュース，スポーツ・ニュース，ローカル・ニュースなどを表す」（記載Ａオ）ものであるから、「ニュース番組」の「部類」といい得ることは明らかである。
　また、刊行物Ａ発明において、「ニュース番組」が放送局から送られていることは明らかである。
（２−１−３）
　上記「（２−１−１）」「（２−１−２）」での検討結果に従えば、刊行物Ａ記載の「ニュース番組」の「小分類コード」は、本願明細書に記載された「ショーの部類」に相当する。
　また、刊行物Ａ記載の「優先順位係数ＫＹの値」が、本願発明にいう「記録するための基準」に相当することは、上記「（２−１−２）」のとおりである。
　そうすると、刊行物Ａ記載の「ニュース番組」の「小分類コードに応じた優先順位係数ＫＹの値」は、本願明細書に記載された「ショーの部類」に基づき決定される「基準」に相当する。
　従って、刊行物Ａ発明における「小分類コードに応じた優先順位係数ＫＹの値」は、本願発明にいう「ビデオ入力ソースからのショーを記録するための基準」に相当する。
　
（２−２）
　刊行物Ａ発明において、使用者が「ＯＳＤ回路４４により表示された分類画面を見ながら各々の分類に対する優先順位係数ＫＹ」「を操作部５０から入力する」と（段落Ａカ）、「それぞれの小分類に対応する優先順位係数ＫＹは、０.５，１.０，０.７，０.３，０，２.０に設定され」る。（記載Ａキ）　
　刊行物Ａ発明の「小分類コードに応じた優先順位係数ＫＹの値」が本願発明にいう「ビデオ入力ソースからのショーを記録するための基準」に相当することは、上記「（２−１）」のとおりである。
　従って、刊行物Ａ発明の「使用者は、ＯＳＤ回路４４により表示された分類画面を見ながら各々の分類に対する優先順位係数ＫＹ」「を操作部５０から入力す」る段階は、本願発明にいう「（ａ）ビデオ入力ソースからのショーを記録するための基準をユーザが指定できるようにするステップ」に相当する。
　
（３）「（ｂ）前記ユーザ指定の基準に基づいて、プロセッサが、記録のためにチャネル・ガイド・データベースから記録すべきショーを選択するステップであって、該記録すべきショーを記録するために十分な記録領域がない場合には当該選択された記録すべきショーより低い優先順位を持つ記録済みのショーを消去するステップ」
（３−１）「前記ユーザ指定の基準に基づいて、プロセッサが、記録のためにチャネル・ガイド・データベースから記録すべきショーを選択するステップ」
　刊行物Ａ発明の「システムコントロール回路４９の処理フローチャート」（記載Ａク）において、「時間が重複するニュース番組がある場合」「ステップＳ８０５において、複数の候補の優先順位を決定し、録画候補番組を一つに絞り込む。これは予約メモリ５２から前述した優先順位係数ＫＹを読み出し、録画候補番組の小分類コードに応じた優先順位係数ＫＹの値を比較することにより行われる。図１２に示した例では、政治ニュース，経済ニュース，スポーツ・ニュース，ローカル・ニュースが録画候補番組になった場合、優先順位係数の最も大きい経済ニュースを録画候補番組として選択す」る。（記載Ａケ）
　また、「小分類コードに応じた優先順位係数ＫＹの値」は、「使用者」が「操作部５０から入力する」ものである。（記載Ａカ）
　上記「（２）」での検討結果に従えば、刊行物Ａ発明における、「使用者」が「操作部５０から入力」した「優先順位係数ＫＹの値」が、本願発明にいう「前記ユーザ指定の基準」に相当する。
　そうすると、刊行物Ａ発明における、「システムコントロール回路４９」が、「優先順位係数ＫＹの値を比較することにより」「複数の候補の優先順位を決定し、録画候補番組を一つに絞り込」む「ステップＳ８０５」は、本願発明にいう「前記ユーザ指定の基準に基づいて、プロセッサが、記録のためにチャネル・ガイド・データベースから記録すべきショーを選択するステップ」に相当する。
　
（３−２）「該記録すべきショーを記録するために十分な記録領域がない場合には当該選択された記録すべきショーより低い優先順位を持つ記録済みのショーを消去するステップ」
（３−２−１）「当該選択された記録すべきショーより低い優先順位を持つ記録済みのショー」
　刊行物Ａ発明においては、「ステップＳ８０６において」「録画候補番組を記録するに十分な記録領域ＤＺが確保されているかどうかを判定す」る。（記載Ａコ）
　そして、「記録領域ＤＺが録画候補番組を記録するのに不十分な大きさの場合、ステップＳ８０７において、ディレクトリ情報の中のすべての番組の優先順位の比較を行い、優先順位の低い順に番号（ｑ）の値を割り当てる。具体的には」「計算した優先度Ｙの値が小さいほど優先順位が低いものとする。」（記載Ａサ）
　そして、「ステップＳ８０８においてｑ＝１とおく。次いで、ステップＳ８０９において、ｑ番目の番組の優先度Ｙ（ｑ）と録画候補番組の優先度Ｙ（ｒ）とを比較す」る。（記載Ａシ）
　さらに、「Ｙ（ｒ）がＹ（ｑ）よりも大きい場合、ステップＳ８１１に進み、この時のｑの値におけるｑ番目の番組を第１の消去候補番組とする。そしてステップＳ８１２において記録可能時間ＤＺに消去候補番組の継続時間ＴＬ（ｑ）を加え」る。（記載Ａス）
　かかる「消去候補番組」は、本願発明にいう「当該選択された記録すべきショーより低い優先順位を持つ記録済みのショー」に相当する。
（３−２−２）「ショーを消去するステップ」
　刊行物Ａ発明においては、「ステップＳ８１３において」「消去候補番組を消去した場合に十分な記録領域があるかどうかを判定する。消去候補番組を消去しても録画候補番組の記録に十分な記録可能時間ＤＺを得られない場合、ステップＳ８１４においてｑに１を加えてステップＳ８０９に戻ることにより、二番目に優先度の小さい番組に対して同様の判定を繰り返」す。（記載Ａセ）
　そして、「この繰返し中にステップＳ８１３において記録領域が十分の判定が得られるとステップＳ８１５でチャンネルを設定し、ステップＳ８１６に進」み（記載Ａセ）、「ステップＳ８１６においては、日付・時刻発生回路５６からの現在時刻のデータが録画候補番組の開始日時ＴＳ（ｒ）と一致するのを待ち、一致したらステップＳ８１７に進み、録画を開始する。録画する領域は未記録部、再生フラグが１の番組部分、第１の消去候補番組部分、第２の消去候補番組部分、……の順となるように、システムコントロール回路４９の記録・再生・表示制御手段４９４からディスク制御回路４６に制御信号を送」る。（記載Ａソ）
　これにより、刊行物Ａ発明は、「優先順位の低い順にディスク内のニュースを消去しながら、放送されるニュースの中で優先度の最も高いニュースを記録す」る。（記載Ａタ）
　そうすると、刊行物Ａ発明における、「記録領域ＤＺが録画候補番組を記録するのに不十分な大きさの場合」に「録画する領域は未記録部、再生フラグが１の番組部分、第１の消去候補番組部分、第２の消去候補番組部分、……の順となるように、システムコントロール回路４９の記録・再生・表示制御手段４９４からディスク制御回路４６に制御信号を送」る「ステップＳ８０６」〜「ステップＳ８０９」、「ステップＳ８１１」〜「ステップＳ８１７」は、本願発明にいう「該記録すべきショーを記録するために十分な記録領域がない場合には当該選択された記録すべきショーより低い優先順位を持つ記録済みのショーを消去するステップ」に相当する。
　ただし、「該記録すべきショーを記録するために十分な記録領域がない場合には当該選択された記録すべきショーより低い優先順位を持つ記録済みのショーを消去するステップ」が、本願発明においては、後述の「（ｃ）選択された前記ショーを記録するステップ」とは独立したステップとして備えられているのに対し、刊行物Ａ発明においては、「消去しながら」「記録する」として、「（ｃ）選択された前記ショーを記録するステップ」とは独立したステップとして備えられていない。相違が認められる。　
　
（３−３）
　上記のとおりであるから、刊行物Ａ発明の、「システムコントロール回路４９」が、「優先順位係数ＫＹの値を比較することにより」「複数の候補の優先順位を決定し、録画候補番組を一つに絞り込」む「ステップＳ８０５」と、「記録領域ＤＺが録画候補番組を記録するのに不十分な大きさの場合」に「録画する領域は未記録部、再生フラグが１の番組部分、第１の消去候補番組部分、第２の消去候補番組部分、……の順となるように、システムコントロール回路４９の記録・再生・表示制御手段４９４からディスク制御回路４６に制御信号を送」る「ステップＳ８０６」〜「ステップＳ８０９」、「ステップＳ８１１」〜「ステップＳ８１７」とを合わせた、「ステップＳ８０５」〜「ステップＳ８０９」、「ステップＳ８１１」〜「ステップＳ８１７」は、本願発明にいう、「前記ユーザ指定の基準に基づいて、プロセッサが、記録のためにチャネル・ガイド・データベースから記録すべきショーを選択するステップであって、該記録すべきショーを記録するために十分な記録領域がない場合には当該選択された記録すべきショーより低い優先順位を持つ記録済みのショーを消去するステップ」に相当する。
　ただし、「該記録すべきショーを記録するために十分な記録領域がない場合には当該選択された記録すべきショーより低い優先順位を持つ記録済みのショーを消去するステップ」が、本願発明においては、後述の「（ｃ）選択された前記ショーを記録するステップ」とは独立したステップとして備えられているのに対し、刊行物Ａ発明においては、「消去しながら」「記録する」として、「（ｃ）選択された前記ショーを記録するステップ」とは独立したステップとして備えられていない。相違が認められる。　
　
（４）「（ｃ）選択された前記ショーを記録するステップ」　
　刊行物Ａ発明においては、「ステップＳ８１５でチャンネルを設定」し（記載Ａセ）、「ステップＳ８１６において」「現在時刻のデータが録画候補番組の開始日時ＴＳ（ｒ）と一致するのを待ち、一致したらステップＳ８１７に進み、録画を開始す」る。（記載Ａソ）
　これにより、刊行物Ａ発明は、「優先順位の低い順にディスク内のニュースを消去しながら、放送されるニュースの中で優先度の最も高いニュースを記録す」る。（記載Ａタ）
　かかる「録画候補番組」の「録画」を行う「ステップＳ８１５」〜「ステップＳ８１７」は、本願発明にいう「選択された前記ショーを記録するステップ」に相当する。　
　ただし、「選択された前記ショーを記録するステップ」が、本願発明においては、上記「（３）」に記載したとおり、「ステップ（ｂ）」とは独立したステップとして備えられているのに対し、刊行物Ａ発明においては、「消去しながら」「記録する」として、「該記録すべきショーを記録するために十分な記録領域がない場合には当該選択された記録すべきショーより低い優先順位を持つ記録済みのショーを消去するステップ」とは独立したステップとして備えられていない。相違が認められる。
 　
３．一致点・相違点
　本願発明と刊行物Ａ発明との一致点及び相違点は、次のとおりである。
　
［一致点］
　後の再生のためにビデオ信号を記録できるようにするための方法であって、
　（ａ）ビデオ入力ソースからのショーを記録するための基準をユーザが指定できるようにするステップと、
　前記ユーザ指定の基準に基づいて、プロセッサが、記録のためにチャネル・ガイド・データベースから記録すべきショーを選択するステップであって、該記録すべきショーを記録するために十分な記録領域がない場合には当該選択された記録すべきショーより低い優先順位を持つ記録済みのショーを消去するステップと、
　選択された前記ショーを記録するステップとを含む方法。
　
［相違点］
　「当該選択された記録すべきショーより低い優先順位を持つ記録済みのショーを消去するステップ」と、「選択された前記ショーを記録するステップ」とが、本願発明においては、独立したステップとして備えられているのに対し、刊行物Ａ発明においては「消去しながら」「記録する」として、独立したステップとして備えられていない点。
　
４．相違点についての検討
　ハードディスク装置の技術分野において、新たな情報を記録する為の容量が不足している場合に、この新たな情報を記録する容量を確保すべく、既に記録されている情報を消去した後に記録を開始する構成、即ち、記録済みの情報を消去するステップと、新たな情報を記録するステップとを独立して有する構成が、本願出願前において周知の技術であることは、上記「１．（１−２）周知技術」のとおりである。
　そして、刊行物Ａ発明と上記周知技術とは解決しようとする課題が共通しているから、刊行物Ａ発明に備えられた「ハード・ディスク装置」に上記周知技術を採用しようとする動機付けは存在するというべきである。
　そうすると、「該記録すべきショーを記録するために十分な記録領域がない場合には当該選択された記録すべきショーより低い優先順位を持つ記録済みのショーを消去するステップ」と、「選択された前記ショーを記録するステップ」とが独立して備えられる構成とすることは、刊行物Ａ発明に上記周知技術を採用することにより当業者が容易になし得たことである。
　
５．効果
　本願発明が奏する効果は、刊行物Ａの記載及び上記周知事項から当業者が当然に予測できる範囲内のものと認められる。
　
６．判断
　以上のことから、本願発明は、刊行物Ａに記載された発明及び周知技術に基づいて、当業者が容易に発明をすることができたものであるから、特許法第２９条第２項の規定により特許を受けることができないものである。
　
　
第４　むすび
　以上のとおり、本願の請求項１に係る発明は、刊行物Ａに記載された発明及び周知技術に基づいて、当業者が容易に発明をすることができたものであるから、特許法第２９条第２項の規定により特許を受けることができない。
　従って、本願は拒絶すべきものである。
　よって、結論のとおり審決する。